(57)【特許請求の範囲】
【請求項１】
エレベータのかごを構成するかごパネルを互いに結合するためのエレベータかごパネル結合構造であって、
第１のかごパネルの結合縁部に沿って設けられ、開口およびこの開口よりも幅が大きい内部空間を有する溝型断面形状を持つ第１の溝型折曲部と、
第２のかごパネルの結合縁部に沿って設けられ、溝を構成する底部の外壁の幅が、上記第１のかごパネルの上記開口の幅より大きく上記第１のかごパネルの上記内部空間の幅よりも小さい第２の溝型折曲部とを備え、
上記第１の溝型折曲部が、上記第１のかごパネルの上記結合縁部に沿って延び、溝を構成する第１の側壁および第２の側壁を備え、
上記第２の溝型折曲部が、上記第２のかごパネルの上記結合縁部に沿って延び、溝を構成する第１の側壁および第２の側壁を備え、
上記第２の溝型折曲部が上記第１の溝型折曲部の上記開口を通して上記内部空間に圧入され、上記第１の溝型折曲部と上記第２の溝型折曲部とが互いに弾性的に結合されて保持され、
上記第１の溝型折曲部の上記第１の側壁が上記第１のかごパネルの上記結合縁部から直角に延びた連結部に角度をもって連結されており、
上記第２の溝型折曲部の上記第１の側壁が上記第２のかごパネルの上記結合縁部から直角に延びた連結部に角度をもって連結されていることを特徴とするエレベータかごパネル結合構造。
【請求項２】
上記第２の溝型折曲部が開口およびこの開口よりも幅が大きい内部空間を有しており、
上記第１の溝型折曲部が、上記第１の溝型折曲部の上記第１の側壁と上記第２の側壁とを連結する底壁を備えており、
上記第２の溝型折曲部が、上記第２の溝型折曲部の上記第１の側壁と上記第２の側壁とを連結する底壁を備えており、
上記第１の溝型折曲部の上記内部空間が上記第１の溝型折曲部の上記第１の側壁、上記第２の側壁および上記底壁によって上記第１のかごパネルの上記結合縁部に沿って形成され、上記第１の溝型折曲部の上記開口が上記第１の溝型折曲部の上記第１の側壁および上記第２の側壁によって上記第１のかごパネルの上記結合縁部に沿って形成されており、
上記第２の溝型折曲部の上記内部空間が上記第２の溝型折曲部の上記第１の側壁、上記第２の側壁および上記底壁によって上記第２のかごパネルの上記結合縁部に沿って形成され、上記第２の溝型折曲部の上記開口が上記第２の溝型折曲部の上記第１の側壁および上記第２の側壁によって上記第２のかごパネルの上記結合縁部に沿って形成されていることを特徴とする請求項１に記載のエレベータかごパネル結合構造。
【請求項３】
上記第１の溝型折曲部の上記底壁が上記第１の溝型折曲部の上記第１の側壁から直角に延びた折曲部であり、上記第１の溝型折曲部の上記第２の側壁が上記第１の溝型折曲部の上記底壁から直角に上記第１の溝型折曲部の上記第１の側壁に対向するように延びた折曲部であり、
上記第２の溝型折曲部の上記底壁が上記第２の溝型折曲部の上記第１の側壁から直角に延びた折曲部であり、上記第２の溝型折曲部の上記第２の側壁が上記第２の溝型折曲部の上記底壁から直角に上記第２の溝型折曲部の上記第１の側壁に対向するように延びた折曲部であることを特徴とする請求項２に記載のエレベータかごパネル結合構造。
【請求項４】
上記第１の溝型折曲部が、上記第１の溝型折曲部の上記第１の側壁と上記第２の側壁とを連結する底壁を備えており、上記内部空間が上記第１の溝型折曲部の上記第１の側壁、上記第２の側壁および上記底壁によって上記第１のかごパネルの上記結合縁部に沿って形成され、上記開口が上記第１の溝型折曲部の上記第１の側壁および上記第２の側壁によって上記第１のかごパネルの上記結合縁部に沿って形成されており、
上記第２の溝型折曲部の上記第１の側壁が上記第２のかごパネルの上記結合縁部に沿って延び、上記第２の溝型折曲部の上記第２の側壁は上記第２の溝型折曲部の上記第１の側壁から折り返されて上記第２の溝型折曲部の上記第１の側壁に重ねられていることを特徴とする請求項１に記載のエレベータかごパネル結合構造。
【請求項５】
上記第１の溝型折曲部の上記第２の側壁が上記第２溝型折曲部を上記第１の溝型折曲部の上記開口内に案内する案内部を備えたことを特徴とする請求項１乃至請求項４のいずれか１項に記載のエレベータかごパネル結合構造。
【発明の詳細な説明】
【技術分野】
【０００１】
この発明はエレベータかごパネル結合構造に関するものである。
【背景技術】
【０００２】
エレベータかごにはかご室を形成するために壁パネル等のかごパネルが用いられている。かごパネル同士の結合には従来パネルの結合縁部を折り曲げて締結部を作り、この締結部同士をボルトあるいはクリップ等の締結金具で締結するのが一般的であった（例えば特許文献１参照）。また締結金具を用いずに壁パネル同士を結合するために、パネル結合部に楔形形状を設けてこの楔効果により壁パネルを結合する構造も提案されている（例えば特許文献２参照）。【０００３】
【特許文献１】特開平９−７７４３１号公報
【特許文献２】特開２００１−３０２１４９号公報
【発明の開示】
【発明が解決しようとする課題】
【０００４】
しかしながら、ボルトを用いる場合には、結合作業に時間が掛かり、かご室内から作業することができない上に、組立の微調整が必要で困難であった。またクリップを用いる場合には作業時間は大幅に短縮できるものの部品点数が多いという問題は解決されていない。また、楔効果を利用する構造に於いては嵌め込み方向と逆方向の力が作用した場合に壁パネルが脱落しやすいという問題がある。【０００５】
従って、本発明の目的は、簡単な構造で特別な部品が不要で正確に容易に組立ができるエレベータかごパネル結合構造を提供することである。
【課題を解決するための手段】
【０００６】
この目的に鑑み、本発明によれば、エレベータのかごを構成するかごパネルを互いに結合するためのエレベータかごパネル結合構造は、
第１のかごパネルの結合縁部に沿って設けられ、開口およびこの開口よりも幅が大きい内部空間を有する溝型断面形状を持つ第１の溝型折曲部と、
第２のかごパネルの結合縁部に沿って設けられ、溝を構成する底部の外壁の幅が、上記第１のかごパネルの上記開口の幅より大きく上記第１のかごパネルの上記内部空間の幅よりも小さい第２の溝型折曲部とを備え、
上記第１の溝型折曲部が、上記第１のかごパネルの上記結合縁部に沿って延びて溝を構成する第１の側壁および第２の側壁を備え、
上記第２の溝型折曲部が、上記第２のかごパネルの上記結合縁部に沿って延びて溝を構成する第１の側壁および第２の側壁を備え、
上記第２の溝型折曲部が上記第１の溝型折曲部の上記開口を通して上記内部空間に圧入され、上記第１の溝型折曲部と上記第２の溝型折曲部とが互いに弾性的に結合されて保持され、
上記第１の溝型折曲部の上記第１の側壁が上記第１のかごパネルの上記結合縁部から直角に延びた連結部に角度をもって連結されており、
上記第２の溝型折曲部の上記第１の側壁が上記第２のかごパネルの上記結合縁部から直角に延びた連結部に角度をもって連結されている。
【発明の効果】
【０００８】
従って本発明によれば、簡単な構造で特別な部品が不要で正確に容易に組立ができるエレベータかごパネル結合構造を提供することができる。
【図面の簡単な説明】
【０００９】
【図１】本発明のエレベータかごパネル結合構造によって結合されたかごパネルによって構成されたエレベータかごを示す概略断面図である。（実施の形態１）
【図２】本発明のエレベータかごパネル結合構造の第１の例を示す概略断面図である。（実施の形態１）
【図３】本発明のエレベータかごパネル結合構造の第２の例を示す概略断面図である。（実施の形態２）
【図４】本発明のエレベータかごパネル結合構造の第３の例を示す概略断面図である。（実施の形態３）
【図５】本発明のエレベータかごパネル結合構造の第４の例を示す概略断面図である。（実施の形態４）
【図６】本発明のエレベータかごパネル結合構造の第５の例を示す概略断面図である。（実施の形態５）
【図７】本発明のエレベータかごパネル結合構造の第６の例を示す概略断面図である。（実施の形態６）
【図８】本発明のエレベータかごパネル結合構造の第５の例を示す概略断面図である。（実施の形態７）
【図９】本発明のエレベータかごパネル結合構造の第６の例を示す概略断面図である。（実施の形態８）
【発明を実施するための最良の形態】
【００１０】
実施の形態１．
図１は本発明のエレベータかごパネル結合構造を用いて組み立てたエレベータかご室１のかごパネル部分だけを示す概略水平断面図である。図示のかご室１は、互いに結合された壁パネル２乃至７によって形成されていて、壁パネル２に結合された第１の出入り口パネル８と、壁パネル７に結合された第２の出入り口パネル９とで形成されたかご出入り口１０を持っている。【００１１】
これら壁パネル２乃至７ならびに出入り口パネル８および９は本発明のエレベータかごパネル結合構造によって互いに結合して組み立てることができる。また、図示はしてないが、天井あるいは床パネルも同様に本発明のエレベータかごパネル結合構造によって互いに結合して組み立てることができる。この意味で、これらの壁パネル２乃至７、出入り口パネル８および９、天井パネルならびに床パネルは全て同じ物であり、この明細書では以後かごパネルとも呼ぶ。これらのかごパネルは、例えばステンレス鋼やアルミニウム等のパネル用として適当な金属板で作られている。【００１２】
図１に於いて、かごパネル２は、隣接のかごパネル３に結合すべき第１の結合縁部１１と、この第１の結合縁部１１と反対側の側縁にあって隣接のかごパネル即ち出入り口パネル８に結合すべき第２の結合縁部１２とを備えていて、第１の結合縁部１１には第１の溝型折曲部１３が設けられていて、第２の結合縁部１２には第２の溝型折曲部１４が設けられている。同様に、かごパネル３乃至７にも、第１および第２の結合縁部１１および１２と、第１および第２の溝型折曲部１３および１４が設けられている。【００１３】
かごパネル２の第２の溝型折曲部１４には、出入り口１０を形成する出入り口パネル８の唯一の結合側縁１５（第１の結合縁部１１に相当）に設けられた唯一の折り曲げ縁部１６（第１の溝型折曲部１３に相当）が結合されている。出入り口パネル８の他方の側縁１７には溝型折曲部が設けられてなく、出入り口１０を形成している。また、かごパネル７の第１の溝型折曲部１３には、出入り口パネル９の唯一の結合側縁１８（第２の結合縁部１２に相当）に設けられた唯一の折り曲げ縁部１９（第２の溝型折曲部１４に相当）が結合されている。出入り口パネル９の他方の側縁２０には溝型折曲部が設けられてなく、出入り口１０を形成している。【００１４】
図２には図１のかごパネル２の第１の溝型折曲部１３およびかごパネル３の第２の溝型折曲部１４の構造とそれらの結合の様子とが拡大して示されている。すなわち、かごパネル２は、第１の結合縁部１１から第１の結合縁部１１の全体に亘ってかご１の外側に向かって折り曲げられて直角に延びた連結部２１が設けられている。この連結部２１の先端はそのまま連続して延長されて第１の溝型折曲部１３の第１の側壁２２となり、第１の側壁２２の先端はかごパネル２の本体とは逆方向に平行になるように直角に折り曲げられて底壁２３となり、底壁２３の先端はかご１の内側に向かってほぼ直角に第１の側壁２２に対向するように延びた折曲部である第２の側壁２４となっている。図示の例では底壁２３と第２の側壁２４との間の角度が直角よりも僅かに小さな角度となるように折り曲げられている。第２の側壁２４の先端には更に、後に詳述するように、かごパネル３の第２溝型折曲部を案内する案内部２５を備えている。【００１５】
このようにかごパネル２に連結部２１により連結された全体としてコの字型断面の溝型部材である第１の溝型折曲部１３は、第１の側壁２２、第２の側壁２４および底壁２３によって第１の結合縁部１１に沿って形成された内部空間２６を持ち、この内部空間２６は第１の側壁２２と第２の側壁２４との間に形成されて第１の結合縁部１１に沿って設けられ内部空間２６に連通した開口２７を持っている。開口２７はその幅Ａ（内部空間２６の入口で測った第１の側壁２２と第２の側壁２４との間の距離）が内部空間２６の幅Ｂ（内部空間２６の底である底壁２３の位置で測った第１の側壁２２と第２の側壁２４との間の距離）よりも小さくされている。幅Ａよりも幅Ｂを大きくするために、図示の例では、底壁２３と第２の側壁２４との間の角度が直角よりも僅かに小さな角度（図５のθ）となるように折り曲げられている。このように、第１の溝型折曲部１３は、第１のかごパネル２の結合縁部１１に沿って設けられて幅Ａの開口２７およびこの開口２７よりも大きな幅Ｂを持つ内部空間２６を有する溝型断面形状を持っている。【００１６】
かごパネル３の第２の結合縁部１２に設けられた第２の溝型折曲部１４は、第１の溝型折曲部１３とよく似た全体としてコの字型の溝型構造の部材であって、結合縁部１２からかご１の外側に向かって直角に延びた連結部２８と、そこからそのまま連続して延長された第１の側壁２９と、第１の側壁２９の先端からかごパネル３の本体の方向に平行になるように直角に折り曲げられた底壁３０と、底壁３０の先端からかご１の内側に向かってほぼ直角に第１の側壁２９に対向するように延びた折曲部である第２の側壁３１とを備えている。図示の例では底壁３０と第２の側壁３１との間の角度は、第１の溝型折曲部１４の底壁２３と第２の側壁２４との間の角度と同じで、直角よりも僅かに小さな角度（図５のθ）となるように折り曲げられている。【００１７】
第２の溝型折曲部１４も、図２に示すように第１の溝型折曲部１３と同様に開口３２と内部空間３３を持っている。また第１および第２の側壁と底壁とで構成される溝型の胴部の外側の幅Ｃは、第１の溝型折曲部１３の開口２７の幅よりも大きいが内部空間２６の幅よりも小さい。図示の例では、胴部の幅Ｃは溝型の底部の外側幅であり、第１の溝型折曲部１３の内部空間２６の幅Ｂと等しくされている。第１の溝型折曲部１３の案内部２５の先端の位置は第２の側壁２４の先端よりも溝型の外側にある。【００１８】
第１および第２の溝型折曲部１３および１４は、上述のように構成されているので、第１の溝型折曲部１３の開口２７内に第２の溝型折曲部１４の溝型胴部を図２に於いて上方から挿入しようとすると、第１の溝型折曲部１３の幅Ｃの胴部が第２の溝型折曲部１４の第１の側壁２２と案内部２５に当たる。第２の溝型折曲部１４を第１の側壁２２に沿って押し下げて圧入すると、案内部２５の斜面を滑りながら底壁２３および第２の側壁２４の弾性に抗して第２の側壁２４を外側に押し拡げて、開口２７を拡げながら入って行く。幅Ｃの胴部部分が開口２７の最も狭い部分である案内部２５と第２の側壁２４との連結部分を越えると、側壁２４の弾性が２つの側壁２４と３１との傾斜のために第２の溝型折曲部１４を第１の溝型折曲部１３内に引き込むように作用する。【００１９】
最終的には、第２の溝型折曲部１４は図２に示すように第１の溝型折曲部１３内に保持された位置となる。この位置では、第１の側壁２２と２９、底壁２３と３０、第２の側壁２４と３１がそれぞれ弾性力により間に摩擦が発生するように互いに接した状態であり、第１の溝型折曲部１３と第２の溝型折曲部１４とが互いに弾性的に結合されて保持されることになる。このように、第１の溝型折曲部１３は第２の溝型折曲部１４を保持するクリップの作用をすると言える。【００２０】
図１に示すように、かご１を構成するかごパネル２、３、５、７〜９の第１および第２の溝型折曲部１３および１４はそれぞれ同一の形状および寸法であって、結合枚数や互換性に制限は無い。【００２１】
このような構成の本発明のエレベータかごパネル結合構造によれば、かごパネル２および３にそれぞれ連続して一部品として一体に設けられた第２の溝型折曲部１３および１４がクリップのように互いに弾性的に嵌合して保持し合うので、ボルト・ナット等の別の固着金具が不要であり、固着金具の装着締結作業が不必要で、結合作業をかご室内からでき、また部品点数が大幅に減少し、しかも組立微調整が不必要であるのでかご室組立時間が大幅に短縮できる。【００２２】
実施の形態２．
図１および図２に関連して先に説明したように、かご１を構成するかごパネル２、３、５、７〜９の第１および第２の溝型折曲部１３および１４はそれぞれ同一の形状および寸法であって、結合枚数や互換性に制限は無い。しかしながら、例えば図１の左上および右上の角隅部等に用いるかごパネル４および６の第２の溝型折曲部１４は図３に示すように変形されている。【００２３】
図３に於いて、かごパネル３の第１の結合縁部１１に設けられた第１の溝型折曲部１３はこれまで説明した図２に示すものと同じである。かごパネル３に対して直角に配置されたかごパネル４の第２の結合縁部１２に設けられた第２の溝型折曲部１４に於いては、第２の結合縁部１２に連結された連結部３４がかごパネル３の本体部分から折り曲げられずに、そのまま連続して直線的に延長されたものであり、その他は同じ構成である。【００２４】
このような構成の本発明のエレベータかごパネル結合構造によれば、かご室１の角隅部を構成するかごパネル３と４の間および５と６の間の結合に当たっても、先に図１および図２に関連して説明したのと同様の効果が得られる。【００２５】
実施の形態３．
図４にはかご１の角隅部に使用できる結合構造の別の例を示すが、この例ではかごパネル３の第１の溝型折曲部１３の連結部２１がかごパネル２の本体部分から直線的に延長されたものとなっている。この場合にも図３の場合と同様の効果が得られる。【００２６】
このように、上に説明し図３および図４に示したように、かごパネルを互いに直角となるように結合してかご１の角隅部を形成するためには、第１および第２の溝型折曲部１３および１４のいずれか一方の第１の側壁２２あるいは２９がかごパネル３あるいは４の結合縁部１１あるいは１２からかごパネル３、４に対して連続して平行に直線状に延長された連結部２１あるいは３４に連結することができると言える。【００２７】
実施の形態４．
図５には本発明のエレベータかごパネル結合構造の変形例として、壁の平坦部にも角隅部にも同じかごパネルを使用できるようにしたものが示してある。このエレベータかごパネル結合構造に於いては、かごパネル２の第１の溝型折曲部１３の深さＤ（かごパネル２のかご１内から見て内側表面から底壁２３の内表面までの距離）を内部空間の幅Ｂ（第１および第２の側壁２２、２４間の底壁２３の長さ）と等しくし、かごパネル３の第２の溝型折曲部１４の高さＨ（かごパネル３の内側表面から底壁３０の外側表面までの距離）と胴部外側幅Ｃ（第１および第２の側壁２９、３１の外表面間の距離）とを、かごパネル３の第１の溝型折曲部１３の深さＤと等しくしたものが示してある（Ａ＜Ｂ＝Ｃ＝Ｄ＝Ｈ）。【００２８】
この例に於いては、胴部外側幅Ｃと折曲部深さＤが内部空間幅Ｂに等しいので、第２の溝型折曲部１４を第１の溝型折曲部１３の内部空間２６内に９０度向きを変えても嵌合させることができる。この例では第２の溝型折曲部１４は、第１の側壁２９と底壁３０との間の折り曲げ部分が直角であっても、第２の溝型折曲部１４が第１の溝型折曲部１３の幅Ａの開口２７を通り抜けた後は第２の側壁２４の弾性力によって第２の溝型折曲部の底壁３０が内側に撓まされることになり、各接触部分の間の摩擦は維持される。【００２９】
従って、この例によれば、全く同一のかごパネルを壁の平坦部分にも角隅部にも使用でき、何種類かのかごパネルを用意しておいて適宜組み合わせて使用する必要がない。またこの例に於いても図１および図２に関連して説明した例と同様の効果を有する。【００３０】
実施の形態５．
図６に示すエレベータかごパネル結合構造に於いては、第１および第２の溝型折曲部１３および１４の第１の側壁２２および２９が、それぞれかごパネル２および３の結合縁部１１および１２から直角に延びた連結部２１および２８に角度をもって連結されていて、第１の溝型折曲部１３の第１および第２の側壁２２および２４間の開口２７が第２の溝型折曲部１４を斜め方向に受け入れるようにされている。その他の構成は図２および図３に示すものと同様である。【００３１】
この構造によれば、これまで説明してきた効果に加えて、かごパネル２あるいは３に対して平行あるいは直角のいずれの方向の力に対しても摩擦力により外れにくいという効果が得られる。特に、かご室１のかごパネル２あるいは３に乗客がもたれ掛かってかごパネルに垂直な力が加わった場合にも、かごパネルに平行な力が加わった場合にもかごパネル間の結合が外れるようなことは起こらないため、かご室１の安全性が高くなる。【００３２】
実施の形態６．
図７に示すエレベータかごパネル結合構造に於いては、第１および第２の溝型折曲部１３および１４の第１の側壁２２および２９が、それぞれかごパネル２および３の結合縁部１１および１２から直角に延びた連結部２１および２８に角度をもって連結されていて、第１の溝型折曲部１３の第１および第２の側壁２２および２４間の開口２７が第２の溝型折曲部１４を斜め方向に受け入れるようにされている。この点では構成は図６に示すものと同様である。【００３３】
しかしながら、第１の溝型折曲部１３の第１および第２の側壁２２および２４間の底壁３０は極めて幅が狭いものとされていて、内部空間の幅Ｂは例えばかごパネル２の金属板材の厚さの３倍から４倍程度の大きさである。開口の幅Ａはかごパネル２の板材の厚さの２倍から３倍程度の大きさである。第２の溝型折曲部１４も同様に幅が更に小さい底壁３４を持ち、内部空間の最大の幅Ｂは例えばかごパネル２の板材の厚さ程度であり、開口の幅Ａは僅かか殆ど零にしてもよい。【００３４】
このように、この例によれば第２の溝型折曲部１４が、結合縁部に沿って延びた第１の側壁２２と、この第１の側壁２２から折り返されて第１の側壁２２に重ねられた第２の側壁２４とを備えている。第１および第２の側壁が折り重ねられているので、その間の内部空間の幅および開口の幅は極めて小さく、またい。第１の溝型折曲部１３は、このような第２の溝型折曲部１４の形状寸法に合わせてあるので、開口の幅Ａおよび内部空間の幅Ｂが第２の溝型折曲部１４を弾性的に受け入れて保持できるように図６のものに比較して小さくされている。このような構造では、先に図６の例について説明したのと同様の効果の他に、エレベータかごのパネル結合構造の奧行方向の寸法が小さくできるという効果も得られる。【００３５】
図８のエレベータかごパネル結合構造は、図７のものと比較すると、第１および第２の溝型折曲部１３および１４の第２の側壁３５および３６が極めて短くされていて、構造が簡単になり信頼性が高い。【００３６】
図９のエレベータかごパネル結合構造の第１および第２の溝型折曲部１３および１４に於いては、連結部２１、２８に連結された第１の側壁３７、４１、底壁３８、４２および第２の側壁３９、４３がいずれも円筒形に湾曲した板部材であって、互いに滑らかに連続するように連結されていて、第１および第２の溝型折曲部１３および１４が、全体として一側が開いて開口となった中空円筒形（Ｃ字型断面）にされている。第１および第２の溝型折曲部１３および１４の内径、外形および開口の寸法は、第１の溝型折曲部１３の内側に第２の溝型折曲部１４がぴったりと入り込んでその位置で遊び無しに保持されるようにされている。第２の側壁３９の先端部は内側に折り返されてストッパ４０となっている。【００３７】
この結合構造の場合、第１の溝型折曲部１３と第２の溝型折曲部１４とを結合するためには、２つの方法がある。第１の方法によれば、第１の溝型折曲部１４の中心軸方向両端にある円形の端部開口のいずれか一方から第２の溝型折曲部１３の端部を滑らせて挿入する。第１および第２の溝型折曲部１３および１４の両端が所定位置に達したときに、第２の溝型折曲部１４をその軸回りに円形の第１の溝型折曲部１３内で回転させ、図９の想像線の位置から実線で示すように連結部２１と２８とを互いに当接させる。この位置ではかごパネル２と３とが同一平面となり、第２の溝型折曲部１４の第２の側壁４３の先端がストッパ４０にも当接する。【００３８】
第２の嵌合方法は、第１および第２の溝型折曲部１３および１４の両端部を揃えて、第２の溝型折曲部１４の連結部２８を図９に想像線で示すように結合縁部１２に沿って延びた開口２７内に通す。次に第２の溝型折曲部１４の第２の側壁４３の先端を、第１の溝型折曲部１３の結合縁部１１に沿ったスリット状の開口２７に挿入し、第２の溝型折曲部１４の円筒形外表面を第１の溝型折曲部１３の円筒形内表面に沿って回転させる。連結部２１と連結部２８とが当接し、第２の溝型折曲部１３の第２の側壁３９の先端部がストッパ４０に当接すると、かごパネル２および３は同一平面上に位置することになる。【００３９】
このエレベータかごパネル結合構造によれば、かごパネルは結合縁部に沿ったスライド移動あるいは回転移動により互いに結合できる。従って、折曲部の弾性を利用するものと異なり、弾性力に抗して嵌合させる必要が無い。また第１の溝型折曲部１３の第１の側壁３９の先端部は内側に折り返されてストッパ４０となっていて、第２の溝型折曲部１４の第２の側壁４３の先端部に当接するように構成されている。従って第２の溝型折曲部１３の回転運動に対してだけでなく、連結部の軸に対して直角な方向への力による平行運動に対しても脱落防止の効果がある。
【図１】
0004750120.tif 000002
【図２】
0004750120.tif 000003
【図３】
0004750120.tif 000004
【図４】
0004750120.tif 000005
【図５】
0004750120.tif 000006
【図６】
0004750120.tif 000007
【図７】
0004750120.tif 000008
【図８】
0004750120.tif 000009
【図９】
0004750120.tif 000010